(57)【特許請求の範囲】
【請求項１】
受信した少なくとも映像を含む放送に係る複数の番組を表す番組履歴情報を記憶する複数の放送受信装置をネットワークで接続した放送受信装置システムにおいて、
一の放送受信装置は、
記憶する番組履歴情報を他の放送受信装置へネットワークを通じて送信する手段を備え、
前記他の放送受信装置は、
ネットワークを通じて送信されてきた番組履歴情報を受信する手段と、
受信した番組履歴情報に係る複数の番組から２つの番組を取る組合せの中で、記憶する番組履歴情報に係る番組が含まれる組合せを検出する検出手段と、
前記検出手段が検出した組合せの中から、前記記憶する番組情報履歴に係る番組以外の番組を特定する特定手段と、
前記特定手段が特定した番組を提示する提示手段と
を備えることを特徴とする放送受信装置システム。
【請求項２】
前記一の放送受信装置は、
記憶する番組履歴情報から２つの番組を取る組合せを生成する手段を備え、
生成した組合せの状態で番組履歴情報を他の放送受信装置へ送信する請求項１に記載の放送受信装置システム。
【請求項３】
前記一の放送受信装置と前記他の放送受信装置は、ネットワークを通じて直接的に通信を行う手段を備える請求項１または請求項２に記載の放送受信装置システム。
【請求項４】
受信した少なくとも映像を含む放送に係る複数の番組を表す番組履歴情報を記憶すると共にネットワークを通じて他の装置と通信可能な放送受信装置において、
ネットワークを通じて送信されてきた番組履歴情報を受信する手段と、
受信した番組履歴情報に係る複数の番組から２つの番組を取る組合せの中で、記憶する番組履歴情報に係る番組が含まれる組合せを検出する検出手段と、
前記検出手段が検出した組合せの中から、前記記憶する番組情報履歴に係る番組以外の番組を特定する特定手段と、
前記特定手段が特定した番組を提示する提示手段と
を備えることを特徴とする放送受信装置。
【請求項５】
前記特定手段は、前記検出手段が検出した組合せの中から、前記記憶する複数の番組情報履歴に係る番組以外で最も含まれる数が多い番組を特定する請求項４に記載の放送受信装置。
【請求項６】
前記特定手段が、複数の番組を特定した場合、前記提示手段は、含まれる数が多い順に複数の番組を提示する請求項４に記載の放送受信装置。
【請求項７】
受信した番組履歴情報から２つの番組を取る組合せを生成する手段を備える請求項４乃至請求項６のいずれか１項に記載の放送受信装置。
【請求項８】
受信した番組履歴情報を送信元ごとに記憶する手段と、
送信元ごとの番組履歴情報の中で、記憶する番組履歴情報に係る番組を含まない番組履歴情報があるか否かを検出する手段と、
記憶する番組履歴情報に係る番組を含まない番組履歴情報があることを検出した場合、検出した番組履歴情報に対応する送信元との通信を停止する手段と
を備える請求項４乃至請求項７のいずれか１項に記載の放送受信装置。
【請求項９】
受信した番組履歴情報に基づく２つの番組を取る組合せの中で、前記検出手段が検出した組合せを記憶する手段を備え、
前記特定手段が、記憶する組合せの中から特定を行う請求項４乃至請求項８のいずれか１項に記載の放送受信装置。
【請求項１０】
少なくとも映像を含む放送に係る番組の視聴予約または録画予約を行う指示操作を受け付ける受付手段を備え、
前記受付手段が指示操作を受け付けた場合、前記検出手段は検出を行う請求項４乃至請求項９のいずれか１項に記載の放送受信装置。
【請求項１１】
受信した少なくとも映像を含む放送に係る複数の番組を表す番組履歴情報を記憶すると共にネットワークを通じて他の装置と通信可能な放送受信装置が、
ネットワークを通じて送信されてきた番組履歴情報を受信し、
受信した番組履歴情報に係る複数の番組から２つの番組を取る組合せの中で、記憶する番組履歴情報に係る番組が含まれる組合せを検出し、
検出した組合せの中で、前記記憶する番組履歴情報に係る番組以外の番組を特定し、
特定した番組を提示することを特徴とする番組提示方法。
【発明の詳細な説明】
【技術分野】
【０００１】
本発明は、他のユーザの視聴履歴に基づいて、自機のユーザの視聴目的や嗜好に合った番組を、サーバを用いることなく提案可能な放送受信装置システム、放送受信装置、および番組提示方法に関する。
【背景技術】
【０００２】
従来、テレビジョン放送においては、多数の放送番組が放送されているため、自分の嗜好にあった放送番組または自分の視聴目的にあった放送番組などをユーザが容易に見つけられない場合があった。このようなことは、地上波放送に加えてケーブルテレビ、衛星放送、デジタル放送、インターネットを介した放送（例えば、ＩＰ放送）など放送媒体も多様になるにつれて、頻繁に生じることが予想される。
【０００３】
なお、下記の特許文献１では、ネットワークを介して複数のユーザ端末とサーバとを接続し、サーバは各ユーザ端末からユーザの番組の好みを示す嗜好度データを集め、いずれかのユーザ端末が視聴予約また録画予約を行う際、集めた嗜好度データに基づく推薦番組を、そのユーザ端末へ提案する内容が開示されている。
【特許文献１】特開２００３−１１４９０３号公報
【発明の開示】
【発明が解決しようとする課題】
【０００４】
上述した特許文献１では、システムを構成する上でサーバが必要となるため、システムの構成が大がかりになりコストがかかると共に、サーバが不調になると、システム全体が機能しなくなるのでサーバの管理を厳重に行う必要がある。また、サーバを中心にしてシステムを構成するため、新たなユーザ端末の追加に係る設定も面倒であり、システムに拘わるユーザ端末の追加または削除を柔軟に行えないと云う問題もある。しかも、多数のユーザに関する情報がサービスを提供する側に集められるため、ユーザの個人情報保護に対する信頼性が懸念され、この点においてもサーバが記憶する情報管理に対する負担が大きい問題もある。
【０００５】
本発明は、斯かる問題に鑑みてなされたものであり、ネットワーク接続機能を有する放送受信装置の間で、視聴した番組の情報を送受することで、放送受信装置がユーザのネットワークにおけるエージェント的な役割を担うように処理を行って、放送受信装置が集めた情報と過去の視聴履歴に基づきユーザへ推薦する番組を提示できるようにした放送受信装置システム、放送受信装置、および番組提示方法を提供することを目的とする。
【課題を解決するための手段】
【０００６】
上記課題を解決するために本発明に係る放送受信装置システムは、受信した少なくとも映像を含む放送に係る複数の番組を表す番組履歴情報を記憶する複数の放送受信装置をネットワークで接続した放送受信装置システムにおいて、一の放送受信装置は、記憶する番組履歴情報を他の放送受信装置へネットワークを通じて送信する手段を備え、前記他の放送受信装置は、ネットワークを通じて送信されてきた番組履歴情報を受信する手段と、受信した番組履歴情報に係る複数の番組から２つの番組を取る組合せの中で、記憶する番組履歴情報に係る番組が含まれる組合せを検出する検出手段と、前記検出手段が検出した組合せの中から、前記記憶する番組情報履歴に係る番組以外の番組を特定する特定手段と、前記特定手段が特定した番組を提示する提示手段とを備えることを特徴とする。
【０００７】
本発明にあっては、一の放送受信装置が、今までに視聴された番組履歴（記憶する番組履歴）の情報を他の放送受信装置へ送信するので、他の放送受信装置では、ネットワークでの通信先となる複数の放送受信装置から数多くの視聴履歴（番組履歴情報）を容易に集められるようになる。また、他の放送受信装置は、集めた視聴履歴の中から２つの番組を取る組合せの中で、自身が記憶する番組が含まれるものを検出し、その検出した組合せより、すでに視聴した番組を除いた番組を特定して、その番組を提示するので、多くのユーザの視聴履歴のすり合わせを経て、自らのユーザの嗜好または視聴目的などに合った未視聴の番組を提案できるようになる。それにより、他の放送受信装置は、番組の提案に関してネットワークにおけるエージェント的な役割を果たすと云う新たな付加価値をユーザに提供できる。なお、一の放送受信装置は複数存在することを想定しており、それにより、他の放送受信装置は多数のユーザの視聴履歴を集めることができる。なお、本発明において、少なくとも映像を含む放送には、電波により放送されるテレビジョン放送、有線により放送されるケーブルテレビジョン放送、インターネットのような通信網を通じて所定の通信プロトコルで放送されるインターネットテレビジョン放送、ＩＰ放送（ＩＰマルチキャスト放送）等が含まれる。
【０００８】
本発明に係る放送受信装置システムは、前記一の放送受信装置が、記憶する番組履歴情報から２つの番組を取る組合せを生成する手段を備え、生成した組合せの状態で番組履歴情報を他の放送受信装置へ送信することを特徴とする。
本発明にあっては、一の放送受信装置が、視聴履歴となる番組履歴情報の中から２つの番組を取る組合せを生成して、他の放送受信装置へ送信するので、他の放送受信装置が２つの番組を取る組合せを生成せずに済み、他の放送受信装置の処理負担が低減される。
【０００９】
本発明に係る放送受信装置システムは、前記一の放送受信装置と前記他の放送受信装置が、ネットワークを通じて直接的に通信を行う手段を備えることを特徴とする。
本発明にあっては、一の放送受信装置と前記他の放送受信装置が、ネットワークを通じて直接的に通信を行うので、本発明の放送受信装置システムではサーバが不要になり、サーバを設けることで生じる多数の不具合を全て解消できるようになる。
【００１０】
本発明に係る放送受信装置は、受信した少なくとも映像を含む放送に係る複数の番組を表す番組履歴情報を記憶すると共にネットワークを通じて他の装置と通信可能な放送受信装置において、ネットワークを通じて送信されてきた番組履歴情報を受信する手段と、受信した番組履歴情報に係る複数の番組から２つの番組を取る組合せの中で、記憶する番組履歴情報に係る番組が含まれる組合せを検出する検出手段と、前記検出手段が検出した組合せの中から、前記記憶する番組情報履歴に係る番組以外の番組を特定する特定手段と、前記特定手段が特定した番組を提示する提示手段とを備えることを特徴とする。
【００１１】
本発明にあっては、送信されてきた番組履歴情報の中から２つの番組を取る組合せの中で、自身が記憶する番組が含まれるものを検出し、その検出した組合せより、すでに視聴した番組を除いた番組を特定して、その番組を提示するので、多くのユーザの番組に関する嗜好傾向を蓄積して、自己のユーザの嗜好または視聴目的などに合った未視聴の番組を提案できるようになる。
【００１２】
本発明に係る放送受信装置は、前記特定手段が、前記検出手段が検出した組合せの中から、前記記憶する複数の番組情報履歴に係る番組以外で最も含まれる数が多い番組を特定することを特徴とする。
本発明にあっては、検出した組合せの中で、自己が記憶する番組以外で最も多く含まれる番組を特定するので、検出した組合せの中にユーザが未視聴の番組が複数存在しても、他のユーザが最も多く視聴した番組を自動的に提案（提示）できるようになり、他のユーザの視聴履歴に照らし合わせて、最も人気のある番組を自己のユーザに提示できる。
【００１３】
本発明に係る放送受信装置は、前記特定手段が、複数の番組を特定した場合、前記提示手段は、含まれる数が多い順に複数の番組を提示することを特徴とする。
本発明にあっては、ユーザに提案（提示）すべき番組を複数特定した場合、含まれる数が多い順に番組をユーザに提示するので、ユーザは、より詳細に未視聴の中で自らの視聴目的または嗜好にあった複数の番組をランク付けされた状態で確認でき、幅広い番組の選択肢をユーザに提示できる。
【００１４】
本発明に係る放送受信装置は、受信した番組履歴情報から２つの番組を取る組合せを生成する手段を備えることを特徴とする。
本発明にあっては、ネットワークを通じて番組履歴情報を受信する放送受信装置が、受信した番組履歴情報の中から２つの番組を取る組合せを生成するので、番組履歴情報の受信側で必要な処理を全て行うことができ、番組履歴情報の送信元に係る装置の処理負担を低減できるようになる。
【００１５】
また、本発明に係る放送受信装置は、受信した番組履歴情報を送信元ごとに記憶する手段と、送信元ごとの番組履歴情報の中で、記憶する番組履歴情報に係る番組を含まない番組履歴情報があるか否かを検出する手段と、記憶する番組履歴情報に係る番組を含まない番組履歴情報があることを検出した場合、検出した番組履歴情報に対応する送信元との通信を停止する手段とを備えることを特徴とする。
本発明にあっては、送信元ごとに保存した番組履歴情報の中に、自己が記憶する番組が含まれないものがあることを検出した場合、検出に係る送信元との通信を停止するので、他の放送受信装置のユーザと、視聴目的または嗜好が異なるユーザの放送受信装置と通信を行わなくなり、無用な通信に係る処理負担を低減できるようになる。すなわち、視聴する番組の傾向が異なるユーザの視聴履歴は、他の放送受信装置のユーザの視聴目的または嗜好に応じた番組を特定する際に参考とならないので、そのような視聴傾向の異なるユーザに係る装置とは通信自体を行わないようにして、処理の効率化を図れる。
【００１６】
本発明に係る放送受信装置は、受信した番組履歴情報に基づく２つの番組を取る組合せの中で、前記検出手段が検出した組合せを記憶する手段を備え、前記特定手段が、記憶する組合せの中から特定を行うことを特徴とする。
本発明にあっては、２つの番組を取る組合せの中で、検出したものだけを記憶して、その記憶した組合せの中からユーザに提案（提示）する番組を特定するので、放送受信装置は、ネットワークを通じて受信した全ての番組履歴を記憶せずに済み、番組履歴情報の組合せを記憶するための記憶容量を削減でき、メモリなどの記憶する手段の記憶容量を有効活用できる。
【００１７】
本発明に係る放送受信装置は、少なくとも映像を含む放送に係る番組の視聴予約または録画予約を行う指示操作を受け付ける受付手段を備え、前記受付手段が指示操作を受け付けた場合、前記検出手段は検出を行うことを特徴とする。
本発明にあっては、視聴予約または録画予約の指示操作をユーザから受け付けた場合に、ユーザが視聴した番組を含む組合せを検出するので、視聴予約または録画予約に関連付けて、ユーザの嗜好または視聴目的に合った番組を提案できるようになる。
【００１８】
本発明に係る番組提示方法は、受信した少なくとも映像を含む放送に係る複数の番組を表す番組履歴情報を記憶すると共にネットワークを通じて他の装置と通信可能な放送受信装置が、ネットワークを通じて送信されてきた番組履歴情報を受信し、受信した番組履歴情報に係る複数の番組から２つの番組を取る組合せの中で、記憶する番組履歴情報に係る番組が含まれる組合せを検出し、検出した組合せの中で、前記記憶する番組履歴情報に係る番組以外の番組を特定し、特定した番組を提示することを特徴とする。
【００１９】
本発明にあっては、ネットワークに接続可能な放送受信装置が、ネットワークを通じて番組履歴情報を受信し、受信した中から２つの番組を取る組合せの中で、自身が記憶する番組が含まれるものを検出し、その検出した組合せより、すでに視聴した番組を除いた番組を特定してユーザに提示するので、多くのユーザの番組に関する嗜好傾向と照らし合わせて、自己のユーザの嗜好または視聴目的などに合った未視聴の番組を提案できるようになる。
【発明の効果】
【００２０】
本発明にあっては、一の放送受信装置が番組履歴情報を他の放送受信装置へ送信するので、他の放送受信装置は、数多くの視聴履歴を集めることができ、その集めた中から２つの番組を取る組合せの中で、未視聴のものを検出し、検出した番組を提示するので、多くのユーザの視聴履歴のすり合わせに基づき且つ自己のユーザの嗜好または視聴目的などに合った番組をスムーズに提案でき、ネットワーク接続機能を有する放送受信装置に新たな付加機能を設けられる。
【００２１】
また、本発明にあっては、一の放送受信装置が、視聴履歴となる番組履歴情報の中から２つの番組を取る組合せを生成して、他の放送受信装置へ送信するので、他の放送受信装置の処理負担を低減できる。
さらに、本発明にあっては、一の放送受信装置と他の放送受信装置は、ネットワークを通じて直接的に通信を行うので、サーバを不要にでき、サーバを用いることに伴う不具合を一掃できる。
【００２２】
本発明にあっては、検出した組合せの中で、自己が記憶する複数の番組以外で最も多く含まれる番組を特定するので、検出した組合せの中にユーザが未視聴の番組が複数存在しても、他のユーザの間で最も人気のある番組を提案できる。
また、本発明にあっては、ユーザに提案すべき番組を複数特定したときは、含まれる数が多い順に番組をユーザに提示するので、ユーザの嗜好等にあった複数の番組をランク付けした状態で提案できる。
【００２３】
本発明にあっては、ネットワークを通じて番組履歴情報を受信する放送受信装置が、受信した番組履歴情報の中から２つの番組を取る組合せを生成するので、番組履歴情報の受信側で必要な処理を全て行うことができる。
また、本発明にあっては、送信元ごとに保存した番組履歴情報の中に、自己が記憶する番組が含まれないものがあることを検出した場合、検出に係る送信元との通信を停止するので、嗜好等が異なるユーザの放送受信装置との通信を停止でき、番組の提案に参考となる通信先とのみ通信を行って、通信に係る処理の効率化を図れる。
さらに、本発明にあっては、２つの番組を取る組合せの中で、番組提案に必要なものだけを記憶するので、放送受信装置が有するメモリなどの記憶容量を有効活用できる。
さらにまた、本発明にあっては、視聴予約または録画予約の際に、ユーザの嗜好または視聴目的に合った番組を提案できる。
【発明を実施するための最良の形態】
【００２４】
図１は、本発明の実施形態に係る放送受信装置システム１の全体的な構成を示しており、放送受信装置システム１は、テレビジョン放送（少なくとも映像を含む放送に相当）の受信が可能な複数の放送受信装置１０、３０、４０をネットワークＮＷで接続して、各放送受信装置１０、３０、４０の間で相互に通信できるようにしている。なお、図１では、計３台の放送受信装置１０、３０、４０を示しているが、本発明に係る放送受信装置システム１は、さらに多くの放送受信装置を含ませることが可能である。また、各放送受信装置１０、３０、４０の仕様は、ほぼ同等であり、以下の説明では、放送受信装置１０、３０（一の放送受信装置に相当）が、テレビジョン放送の受信番組を表す番組履歴情報（視聴番組の履歴情報）を放送受信装置４０（他の放送受信装置に相当）へネットワークＮＷを通じて送信し、放送受信装置４０は、受信した番組履歴情報および自己が記憶する番組履歴情報を参照して、放送受信装置４０のユーザの嗜好等にあった未視聴番組を提案する内容になっている。
【００２５】
図２は、放送受信装置１０の主要な内部構成を示したものであるが、放送受信装置１０と、放送受信装置４０は、同等の仕様であるため、各部の符号には放送受信装置１０用のものに、放送受信装置４０用のものを併記している。以下、最初は、放送受信装置１０をベースにして、本発明に係る放送受信装置の内容を説明する。
【００２６】
本実施形態に係る放送受信装置１０は、ネットワークに接続可能なテレビジョン装置に相当し、録画再生機能も具備しており、視聴予約および録画予約等を電子番組表（ＥＰＧ）に基づき実行できる機能を有している。放送受信装置１０は、デジタルのテレビジョン放送の受信に関する処理部分として、デジタルのチューナ部１１および、受信した放送信号の復調等に係る処理を行う復調回路部１２を有すると共に、他の外部機器からの番組コンテンツ等を取得する外部入力インタフェース１３を有する。
【００２７】
また、放送受信装置１０は、復調回路部１２および外部入力インタフェース１３が接続される切替部１４を有し、チューナ部１１で取得したテレビジョン放送（番組コンテンツ）または外部入力インタフェース１３で取得した番組コンテンツ等のいずれかを処理対象として選択できるようにしている。また、切替部１４は、番組コンテンツをユーザに提示する場合は、番組コンテンツに含まれる映像データおよび音声データをそれぞれ分けて、映像処理回路１７および音声処理部１９へ送るようにしている。映像処理回路１７は、表示に関する所定の処理を行うものであり、所定の処理を行った映像データをディスプレイ部１８へ送ることで、番組コンテンツに係る画像をディスプレイ部１８で表示できるようにしている。音声処理部１９は、音声出力に係る処理（増幅等）を行うものであり、切替部１４から受け取った音声データに対して所定の処理を行ってスピーカ２０へ送ることで、スピーカ２０から番組コンテンツに係る音声が出力されるようにしている。
【００２８】
さらに、放送受信装置１０は、切替部１４に録画再生処理部１５を接続しており、チューナ部１１または外部入力インタフェース１３で取得した番組コンテンツを、録画再生処理部１５に接続されたＨＤＤ装置（ハードディスクドライブ装置）１６で録画できるようにしている。なお、ＨＤＤ装置１６に録画された番組コンテンツを再生する場合、放送受信装置１０は、ＨＤＤ装置１６から読み出した番組コンテンツを録画再生処理部１５で所定の再生に係る処理を行ってから、切替部１４へ送り、切替部１４が再生に係る番組コンテンツに含まれる映像データを映像処理回路１７へ送ると共に、番組コンテンツに含まれる音声データを音声処理部１９へ送ることになる。
【００２９】
また、放送受信装置１０が有する通信インタフェース部２４は、１０ＢＡＳＥ−Ｔまたは１００ＢＡＳＥ―Ｔのネットワーク規格に応じた通信インタフェースであり、ネットワークＮＷと接続されて他の放送受信装置との通信に係る処理を行う。本実施形態では制御ユニット２９の制御により、通信インタフェース部２４は、通信先として設定された放送受信装置と直接的にピアツーピアシステムに応じた通信プロトコルに従って通信を行う。さらに、放送受信装置１０が有する不揮発性メモリ２５は、各種データを記憶するものであり、本実施形態では視聴履歴テーブル２７および受信テーブル２８の形態で各種データを記憶する。視聴履歴テーブル２７は、チューナ部１１で受信したテレビジョン放送の番組を表す番組履歴情報を記憶するものであり、受信テーブル２８は、別の放送受信装置からネットワークＮＷを通じて受信した番組履歴情報を記憶するものである。
【００３０】
さらにまた、放送受信装置１０が有する制御ユニット２９は、放送受信装置１０の全体的な制御処理を行うものであり、図示しない内部メモリに、制御ユニット２９が行う制御処理内容を規定したプログラム、ピアツーピアシステムに係る通信制御処理を規定した通信プログラム等の各種プログラムを予め記憶すると共に、各種メニュー画面、提示用の案内画面等の画面データも予め記憶している。制御ユニット２９には、操作部２３およびリモコン受信部２２が接続されており、操作部２３またはリモコン受信部２２から送られる操作指示に基づき、制御ユニット２９は各種制御処理の開始または停止を行う。
【００３１】
図３は、リモコン受信部２２に応じたリモコン装置２１の外観を示しており、リモコン装置２１は、上下左右キー２１ａ〜２１ｄ、決定キー２１ｅに加えて、推薦番組の提案ボタン２１ｈ、視聴予約を行う場合の視聴予約ボタン２１ｆ、および録画予約を行う場合の録画予約ボタン２１ｇ等を有している。リモコン装置２１は、これらの各キー、ボタン等がユーザにより操作されると、操作されたキー、ボタン等に応じた操作信号を発し、その操作信号をリモコン受信部２２が受信して制御ユニット２９へ伝えることになる。
【００３２】
また、放送受信装置１０は、制御ユニット２９に接続された表示処理部２６を有しており、この映像処理部２６は、メニュー画面、図６（ａ）（ｂ）等に示す各種画面をＯＳＤ（On Screen Display）としてディスプレイ部１８に表示する処理を行うものである。以上のような内容が、放送受信装置１０の基本的な構成部分および処理になっている。
【００３３】
次に、放送受信装置１０が行う本発明に関連する処理について説明する。まず、放送受信装置１０は、チューナ部１１で受信を行うと、受信したテレビジョン放送の放送番組を表す番組履歴情報（ユーザが視聴した放送番組の履歴情報）を不揮発性メモリ２５内の視聴履歴テーブル２７に記憶する処理を制御ユニット２９の制御に基づき行う。本実施形態では、チューナ部１１で取得する電子番組表（ＥＰＧ）に基づき番組を選択して番組を受信した場合に、その番組に応じた番組名、放送日、放送時間等を、電子番組表が含む電子番組情報（ＥＰＧ情報）から取得し、番組履歴情報として記憶する。
【００３４】
図４（ａ）は、放送受信装置１０の不揮発性メモリ２５内の視聴履歴テーブル２７が記憶する複数の番組を表す番組履歴情報の中身を示している。この視聴履歴テーブル２７から、放送受信装置１０のユーザは、毎週木曜日の１８時〜１９時に「番組Ｂ」を視聴し、毎週土曜日の２０時〜２１時に「番組Ｃ」を視聴し、毎週火曜日の１９時〜２０時に「番組Ｄ」を視聴していることが判明する。
【００３５】
なお、上述した説明では、電子番組表での番組選択に基づいて、電子番組表から取得した番組履歴情報を視聴履歴テーブル２７へ記憶するようにしているが、それ以外にも、チューナ部１１で設定されているチャンネルおよび受信時間を番組履歴情報として記憶すること、デジタル放送のＴＳ（トランスポートストリーム）のセクションフォーマットのパケット内に含まれるＳＩ（Service Information）から上述した番組履歴情報を取得して視聴履歴テーブル２７へ記憶することも可能である。なお、このようにして番組履歴情報を取得する場合は、ユーザが一定時間視聴したことを確かめるために、制御ユニット２９の内部メモリに視聴判断用の閾値（例えば、１０分）を記憶し、その閾値を越えて視聴した場合にのみ、その番組を表す番組履歴情報を記憶するようにしてもよい。
【００３６】
また、放送受信装置１０は、視聴履歴テーブル２７に格納されている番組履歴情報を、一定時刻（本実施形態では、毎日午前０時）になった場合、または他から要求があった場合に、通信先として設定されている放送受信装置（本実施形態では放送受信装置４０）へ通信インタフェース部２４から、制御ユニット２９の制御により送信することを行う。なお、放送受信装置１０は、図４（ａ）に示すように、「番組Ｂ」、「番組Ｃ」、「番組Ｄ」に関する番組履歴情報を視聴履歴テーブル２７に格納しているが、本実施形態では、これらの中で最新の日時に係る番組履歴情報を通信先へ送信するものとする。
【００３７】
さらに、放送受信装置１０のピアツーピアシステムによる通信に関しては、図示しないメニュー画面により通信先等の設定（本実施形態では、放送受信装置４０）等が行われ、制御ユニット２９が有するクロック機能での掲示により所定の時刻（午前０時）になった場合、放送受信装置１０は、ピアツーピアシステムの通信プロトコルに従って、放送受信装置４０と通信に係る接続確立を行うように制御ユニット２９で制御を行う。さらにまた、接続確立後は、放送受信装置１０は、放送受信装置４０とネットワークを通じて直接的に通信を行い、視聴履歴テーブル２７の最新の番組履歴情報（例えば、８月９日の「番組Ｂ」、８月１１日の「番組Ｃ」、８月１４日の「番組Ｄ」に関する情報）を放送受信装置４０へネットワークＮＷを通じて送信する処理を制御ユニット２９の制御に基づき行う。なお、放送受信装置１０は、上述した定期的な送信以外に、通信先として設定されている放送受信装置４０から接続要求および番組履歴情報の送信要求を受けると、それに応じて、上述した通信処理を行って、その時における最新の番組履歴情報を放送受信装置４０へ送信することも行う。
【００３８】
なお、図１では、放送受信装置１０の下方に示した波線の楕円の中に、視聴履歴テーブル２７には「番組Ｂ」、「番組Ｃ」、「番組Ｄ」が番組履歴情報として記憶されていることを示している。また、図１に示す放送受信装置３０（一の放送受信装置に相当）は、放送受信装置１０と同様の仕様であると共に、同様の通信に係る設定がなされており、視聴履歴テーブル３７には「番組Ａ」、「番組Ｄ」、「番組Ｅ」に係る番組履歴情報が記憶されているものとする。
【００３９】
次に、放送受信装置４０について説明する。放送受信装置４０も上述したように、放送受信装置１０と同等の構成になっており、放送受信装置４０のユーザが視聴した番組履歴情報（受信したテレビジョン放送の番組を表す番組履歴情報）を不揮発性メモリ５５の視聴履歴テーブル５７に記憶する処理を制御ユニット５９の制御に従って行う。
【００４０】
図４（ｂ）は、放送受信装置４０の不揮発性メモリ５５内の視聴履歴テーブル５７に記憶している複数の番組を表す番組履歴情報の中身を示している。この視聴履歴テーブル５７から、放送受信装置４０のユーザは、毎週水曜日の１９時〜２０時に「番組Ａ」を視聴し、毎週木曜日の１８時〜１９時に「番組Ｂ」を視聴し、毎週土曜日の２０時〜２１時に「番組Ｃ」を視聴していることが判明する。
【００４１】
また、放送受信装置４０では、ピアツーピアシステムによる通信先として予め放送受信装置１０および放送受信装置３０が設定されており、所定の時刻（午前０時）になると、通信先として設定されている放送受信装置１０、３０と順次接続確立を自動的に行って、それぞれと直接的に通信を行い、放送受信装置１０、３０から視聴履歴テーブル２７、３７に記憶されている番組履歴情報を通信インタフェース部５４で受信して、不揮発性メモリ５５内の受信テーブル５８に格納する処理を制御ユニット５９の制御に基づき行う。さらに、放送受信装置４０は、受信した番組履歴情報を受信テーブル５８に格納する際、受信した番組履歴情報に係る複数の番組から２つの番組を取る組合せを生成し、その生成した組合せの状態で番組履歴情報を送信元の放送受信装置ごとに受信テーブル５８に記憶する処理を制御ユニット５９が行う。
【００４２】
図５（ａ）は、受信テーブル５８が記憶する組合せの中身を示している。図１に示すように、放送受信装置１０が記憶する番組履歴情報に係る複数の番組は、「番組Ｂ」、「番組Ｃ」、「番組Ｄ」なので、制御ユニット５９は、これらの「番組Ｂ」、「番組Ｃ」、「番組Ｄ」から２つの番組を取る組合せとして、「番組Ｂ−番組Ｃ」、「番組Ｂ−番組Ｄ」、「番組Ｃ−番組Ｄ」を生成する。そして、制御ユニット５９は、受信テーブル５８の第１記憶欄５８ａに、生成した組合せ（「番組Ｂ−番組Ｃ」、「番組Ｂ−番組Ｄ」、「番組Ｃ−番組Ｄ」）を、送信元である放送受信装置１０と対応付けて記憶する。また、図１に示すように、放送受信装置３０が記憶する番組履歴情報に係る複数の番組は、「番組Ａ」、「番組Ｄ」、「番組Ｅ」なので、制御ユニット５９は「番組Ａ−番組Ｄ」、「番組Ａ−番組Ｅ」、「番組Ｄ−番組Ｅ」の計３個の組合せを生成し、受信テーブル５８の第２記憶欄５８ａに、送信元である放送受信装置３０と対応付けて、生成した組合せを記憶する。
【００４３】
さらに、放送受信装置４０は、図３に示すリモコン装置５１で提案ボタン５１ｈがユーザにより操作されたことが、制御ユニット５９に伝えられると、制御ユニット５９の内部メモリに記憶されている番組提案に係るプログラムの規定に基づいて、番組提案（番組提示）に係る処理を開始する。
【００４４】
図７に示すフローチャートは、視聴または録画を推薦する番組の提案（提示）に係る放送受信装置４０の制御ユニット５９が行う一連の処理内容（番組提示方法の内容）を示したものである。以下、このフローチャートに基づき、番組提案（番組提示）に係る処理内容を説明する。
【００４５】
まず、制御ユニット５９は、処理を開始する判断の段階として、リモコン装置５１の提案ボタン５１ｈがユーザにより操作されたか否かを判断する（Ｓ１）。提案ボタン５１ｈが操作されていない場合（Ｓ１：ＮＯ）、放送受信装置４０は操作待ちの状態になる。また、提案ボタン５１ｈが操作された場合（Ｓ１：ＹＥＳ）、放送受信装置４０の制御ユニット５９は、図５（ｂ）に示すマトリックス状のリンク表６１を、不揮発性メモリ５５の視聴履歴テーブル５７および受信テーブル５８の内容に基づき作成する処理を行う（Ｓ２）。
【００４６】
具体的な、リンク表６１の作成手順として、まず、制御ユニット５９は検出手段として、受信テーブル５８に記憶されている各組合せに対して、放送受信装置４０のユーザが視聴した番組（視聴履歴テーブル５７に記憶される番組履歴情報に係る番組に相当）が含まれる組合せを検出する処理を行う。本実施形態では、放送受信装置４０のユーザが視聴した番組は、視聴履歴テーブル５７が示すように「番組Ａ」、「番組Ｂ」、「番組Ｃ」なので（図１、図４（ｂ）参照）、上記の計６個の組合せの中で、「番組Ｄ−番組Ｅ」を除く、残りの計５個の組合せを検出することになる。さらに、制御ユニット５９は、これらの検出した組合せに含まれる各番組をリンク表６１の「受信した番組」に係る垂直方向の欄に配置する。この場合では、検出された計５個の組合せに含まれる番組は「番組Ａ」、「番組Ｂ」、「番組Ｃ」、「番組Ｄ」、「番組Ｅ」なので、これらをリンク表６１の垂直方向の欄に制御ユニット５９が配置する。さらにまた、制御ユニット５９は、放送受信装置４０のユーザが視聴した「番組Ａ」、「番組Ｂ」、「番組Ｃ」をリンク表６１の水平方向の欄に配置する。
【００４７】
そして、制御ユニット５９は、上述した計５個の組合せを、上述したリンク表６１に当てはめて、最終的なリンク表を生成する処理を行う。具体的に「番組Ｂ−番組Ｃ」の組合せの当てはめは、リンク表６１の水平方向が「番組Ｂ」で、垂直方向が「番組Ｃ」となる欄に数字の「１」を配置することになる。以下、「番組Ｂ−番組Ｄ」の組合せの当てはめは、リンク表６１の水平方向が「番組Ｂ」で、垂直方向が「番組Ｄ」となる欄に数字の「１」を配置し、「番組Ｃ−番組Ｄ」の組合せの当てはめは、リンク表６１の水平方向が「番組Ｃ」で、垂直方向が「番組Ｄ」となる欄に数字の「１」を配置し、「番組Ａ−番組Ｄ」の組合せの当てはめは、リンク表６１の水平方向が「番組Ａ」で、垂直方向が「番組Ｄ」となる欄に数字の「１」を配置し、「番組Ａ−番組Ｅ」の組合せの当てはめは、リンク表６１の水平方向が「番組Ａ」で、垂直方向が「番組Ｅ」となる欄に数字の「１」を配置する。よって、図５（ｂ）のリンク表６１は、制御ユニット５９の上述したような処理で生成される。
【００４８】
次に、図７のフローチャートにおいて、制御ユニット５９は、生成したリンク表６１から放送受信装置４０のユーザが既に視聴した番組を除外する処理を行う（Ｓ３）。具体的には、放送受信装置４０の視聴履歴テーブル５７には、「番組Ａ」、「番組Ｂ」、「番組Ｃ」が記憶されているので、リスト表６１の水平方向および垂直方向で「番組Ａ」、「番組Ｂ」、「番組Ｃ」に係る欄の範囲（図５中、グレーで示した欄の範囲）は、以下の処理で対象外にする。
【００４９】
それから、制御ユニット５９は特定手段として、リンク表６１の残った範囲の中で、数値が配置されているか否かを検出することで、推薦する番組が有るか否かを特定する（Ｓ４）。図５に示すリンク表６１では、「番組Ｄ」および「番組Ｅ」について、それぞれ数値が配置されているので、制御ユニット５９は推薦する番組が複数あることを特定し（Ｓ４：ＹＥＳ）、この場合、制御ユニット５９は、配置された数値が最も多い「番組Ｄ（最も含まれる数が多い番組に相当）」を最終的な推薦番組として特定する。
【００５０】
そして、制御ユニット５９は提示手段として、内部メモリに記憶した画面データの中に特定した番組（番組Ｄ）を配置した画面データを生成し、この画面データを表示処理部５６へ送って、ディスプレイ部４８に推薦する番組を示す案内画面をＯＳＤとして提示（表示）させる（Ｓ５）。
【００５１】
図６（ａ）は、ディスプレイ部４８に表示された案内画面６２を示しており、この案内画面６２には、特定した「番組Ｄ」を、波線枠で示す欄６２ａに配置すると共に、「番組Ｄ」に係る番組情報（放送日時等）を不揮発性メモリ５５の受信テーブル５８に記憶されている番組履歴情報から読み出して、配置している。また、案内画面６２は、ＹＥＳボタン６２ｂを有しており、このＹＥＳボタン６２ｂがリモコン装置５１の上下左右キー５１ａ〜５１ｄおよび決定キー５１ｅの操作で選択されると、推薦された番組をチューナ部４１で受信する制御を制御ユニット５９が行う。なお、案内画面６２は、ＮＯボタン６２ｃも有しており、このＮＯボタン６２ｃがリモコン装置５１の操作で選択されると、推薦された番組をキャンセルして、ユーザからの操作指示を待つ状態に移行する。
【００５２】
また、図７のフローチャートにおいて、仮に各放送受信装置１０、３０の視聴履歴テーブル２７、３７に記憶された番組履歴情報が図１に示す内容と異なり、それにより、図５（ｂ）のリンク表６１の「番組Ｄ」および「番組Ｅ」の両方に数値が全く配置されない状態であるとすれば、制御ユニット５９は、推薦番組は無いと判断する（Ｓ４：ＮＯ）。
【００５３】
この場合、制御ユニット５９は、提案ボタン５１ｈの操作に伴い図７のフローチャートの処理を開始してから、１回目の推薦番組が無いと判断した場合であるかを、内部メモリの推薦番組無し用のフラグが立っているか否かで判断する（Ｓ６）。１回目の推薦番組が無いと判断した場合（フラグが立っていない場合）であるとき（Ｓ６：ＹＥＳ）、制御ユニット５９は、通信先として設定されている放送受信装置１０、３０に通信の接続確立を要求すると共に、最新の番組履歴情報の送信要求を行って、放送受信装置１０、３０が視聴履歴テーブル２７、３７に記憶している番組の履歴情報を受信して取得する（Ｓ７）。なお、この際、制御ユニット５９は内部メモリに、推薦番組無し用のフラグを立てる処理を行うと共に、受信した番組履歴情報に基づき、図５（ａ）に示すような組合せを生成して、受信テーブル５８に記憶するものとする。それから、制御ユニット５９は再度、Ｓ２の段階以降の処理を行う。
【００５４】
このように、放送受信装置１０、３０から最新の番組履歴情報を取得することで、１回目の処理で存在しなかった推薦可能な番組が最新の番組履歴情報に含まれていれば、推薦番組あり（Ｓ４：ＹＥＳ）となり、推薦番組の案内画面を表示することになる（Ｓ５）。一方、最新の番組履歴情報を取得しても、推薦できる番組が含まれていなければ、推薦番組無し（Ｓ４：ＮＯ）となると共に、既に、推薦番組無し用のフラグが立っているため、１回目の推薦番組が無いと判断した場合に該当しないため（Ｓ６：ＮＯ）、制御ユニット５９は、内部メモリから図６（ｂ）に示すような推薦番組無しの画面データを読み出して、この画面データを表示処理部５６へ送って、ディスプレイ部４８に推薦番組無しの画面６３をＯＳＤとして提示（表示）させる（Ｓ８）。なお、推薦番組無しの画面６３は、確認ボタン６３ａを有しており、この確認ボタン６３ａがリモコン装置５１の操作で選択されると、ユーザからの操作指示を待つ状態になる。
【００５５】
放送受信装置４０は、上述したような処理を行うことで、放送受信装置１０、３０のユーザの視聴履歴を参照して、放送受信装置４０のユーザが未視聴の番組を提案できる。特に、本発明では、図５（ａ）に示すような組合せを生成して、放送受信装置４０のユーザが視聴した番組に含まれるものを検出し、その組合せの一方のペアとなる未視聴の番組を推薦番組として提示するので、放送受信装置４０のユーザの嗜好または視聴目的等に合う可能性の高い番組を提案できるようになる。しかも、本発明に係る放送受信装置システム１は、サーバを用いないため、サーバがもたらす各種不具合が生じなくなり、また、ピアツーピアシステムで通信を行う通信先に係る設定を行えば、自由に新たな放送受信装置を組み入れることが可能となり、柔軟なシステム構成をユーザに提供できる。
【００５６】
なお、本発明は、上述した説明内容に限定されるものではなく、種々の変形例が考えられる。例えば、上述した説明ではテレビジョン放送の受信はチューナ部１１、４１で行うようにしているが、他の放送媒体を通じて受信するテレビジョン放送（少なくとも映像を含む放送に相当）の番組も本発明の推薦対象にしてもよい。具体的には、インターネットによるテレビジョン放送またはＩＰ放送（ＩＰマルチキャスト放送）の場合は、通信インタフェース部２４、５４で放送番組を受信し、また、外部入力インタフェース１３、４３にケーブルテレビ用のセットトップボックスを接続して、ケーブルテレビを経由して放送番組を受信するようにしてもよい。このようなインターネットまたはケーブルテレビを経由して受信する放送番組も、上記と同様に処理を行うことで、推薦番組をユーザに提示できる。
【００５７】
また、図７に示すフローチャートの処理は、リモコン装置５１の提案ボタン５１ｈの操作により開始するようにしているが、テレビジョン放送に係る番組の視聴予約または録画予約の処理と連携するようにしてもよい。このように連携する場合は、リモコン装置５１の視聴予約ボタン５１ｆまたは録画予約ボタン５１ｇ（受付手段に相当）で、視聴予約または録画予約を行う指示操作を受け付けると、図７のフローチャートの処理（例えば、放送受信装置４０のユーザが視聴した番組が含まれる組合せを検出する処理）を開始して、処理の連携化を図る。
【００５８】
さらに、上述の実施形態で、放送受信装置４０は、放送受信装置１０、３０から送信される番組履歴情報に係る組合せの全てを不揮発性メモリ５５の受信テーブル５８に記憶するが、放送受信装置４０のユーザが視聴した番組に関係しない組合せは記憶しないようにして、不揮発性メモリ５５の記憶容量を無駄に使用しないようにしてもよい。この場合、放送受信装置４０は、放送受信装置１０、３０から送信される番組履歴情報から生成される２つの番組を取る組合せの中で、放送受信装置４０の視聴履歴テーブル５７に記憶される番組履歴情報に係る番組（「番組Ａ」、「番組Ｂ」、「番組Ｃ」）が含まれるものを制御ユニット５９で検出し、検出したものだけを受信テーブル５８に記憶する。そして、推薦する番組は、この記憶した中から制御ユニット５９が特定するように処理を行う。
【００５９】
放送受信装置４０が上述したような変形例の処理を行うことで、図５（ａ）に示す内容では、「番組Ｄ−番組Ｅ」に関する組合せが受信テーブル５８に記憶されなくなり、不揮発性メモリ５５の記憶容量を節約できると共に、推薦する番組を特定する処理においても、処理対象の組合せを減らすことができ、推薦番組の特定処理の効率化を進めることが可能になる。
【００６０】
また、図５（ａ）に示すような組合せは、推薦番組の提案を行う放送受信装置４０で行う以外に、放送受信装置１０、３０のそれぞれが、視聴履歴テーブル２７、３７の記憶内容に基づき、図５（ａ）に示すような組合せを生成し、生成した組合せの状態で番組履歴情報を放送受信装置４０へ送信するようにしてもよい。このようにすることで、放送受信装置４０は、受信する番組履歴情報に対して組合せを生成しなくても済むようになり、放送受信装置４０の処理負担を低減でき、特に、放送受信装置４０が多数の放送受信装置から番組履歴情報を受信する場合に処理負担を大きく低減できて好適となる。
【００６１】
さらに、図８に示すように、放送受信装置４０を含む放送受信装置システム１′が、図１の放送受信装置３０の代わりに放送受信装置７０を含んでおり、この放送受信装置７０の視聴履歴テーブル７０ａに記憶される番組履歴情報は、「番組Ｘ」、「番組Ｙ」、「番組Ｚ」に関するものであれば、放送受信装置４０のユーザが視聴する番組（「番組Ａ」、「番組Ｂ」、「番組Ｃ」）と関係しないため、放送受信装置７０との通信を停止するようにしてもよい。この場合、放送受信装置４０は先ず、ピアツーピアシステムによる通信先として、放送受信装置１０、７０の両方を設定し、各放送受信装置１０、７０から番組履歴情報を受信して、不揮発性メモリ５５の受信テーブル５８へ送信元ごとに記憶するものとする（図８で示す受信テーブル５８参照）。
【００６２】
そして、放送受信装置４０は、受信テーブル５８に記憶する組合せ（番組履歴情報）の中で、視聴履歴テーブル５７に記憶した番組履歴情報に係る番組（放送受信装置４０のユーザが視聴した番組に該当）を含まないものがあるか否かを制御ユニット５９で検出する。図８に示す場合では、放送受信装置１０に対して記憶された番組履歴情報の中には、「番組Ｂ」、「番組Ｃ」が含まれるので、放送受信装置１０については検出にヒットしない。一方、放送受信装置７０に対して記憶された番組履歴情報は、「番組Ａ」、「番組Ｂ」、「番組Ｃ」をいずれも含まないので、この番組履歴情報は制御ユニット５９により検出される。それから、検出された番組履歴情報に対応する送信元である放送受信装置７０を通信先の設定から外して、通信を停止するように制御ユニット５９は処理を行う。
【００６３】
すなわち、放送受信装置７０のユーザが視聴した番組は、「番組Ｘ」、「番組Ｙ」、「番組Ｚ」であり、推薦番組の案内を行う放送受信装置４０のユーザの嗜好または視聴目的と異なるので、推薦番組の特定に関して放送受信装置７０の番組履歴情報は役に立たないため、放送受信装置４０が上述した処理を行って、放送受信装置７０との通信を停止すれば、無用な通信処理を回避できると共に、不揮発性メモリ５８の記憶容量も無駄に占有することがなくなる。
【００６４】
さらに、図９は別の変形例の放送受信装置システム１″の構成を示している。この変形例の放送受信装置システム１″は、図１の放送受信装置システム１に対して、新たに放送受信装置７１、７２、７３が追加されていることが変更点となっており、これらの放送受信装置７１〜７３も、放送受信装置４０のピアツーピアシステムによる通信先として設定されているものとする。なお、放送受信装置７１〜７３の追加は、ピアツーピアシステムに関する所定のプロトコルの設定（相互の通信先の登録など）を行うだけで済むため、容易に追加を行え、サーバを介在させていないため、サーバの逐次の増強も不要になっている。
【００６５】
なお、図９にも示すように、放送受信装置７１は、視聴履歴テーブル７１ａに「番組Ｃ」、「番組Ｄ」、「番組Ｅ」に関する番組履歴情報を記憶しており、放送受信装置７２は、視聴履歴テーブル７２ａに「番組Ａ」、「番組Ｅ」、「番組Ｆ」に関する番組履歴情報を記憶しており、放送受信装置７３は、視聴履歴テーブル７３ａに「番組Ｂ」、「番組Ｆ」、「番組Ｇ」に関する番組履歴情報を記憶している。
【００６６】
図１０（ａ）は、放送受信装置４０が、放送受信装置１０、３０、７１〜７３より番組履歴情報を受信して作成したリンク表６１′を示している。このリンク表６１′は、図５（ｂ）に示すリンク表６１に比べて、含んでいる組合せの数が多くなっており、そのため、多くのユーザの視聴履歴を参照して、放送受信装置４０のユーザへ提案する推薦番組を特定できるようになる。
【００６７】
また、図１０（ｂ）は、図１０（ａ）にリンク表６１′に基づき、放送受信装置４０が提示する推薦番組の案内画面６４をディスプレイ部４８に表示した状態を示している。図１０（ｂ）の案内画面６４は、図６（ａ）の案内画面６２と異なり、リンク表６１′にユーザが視聴した番組以外で、含まれる数が多い順に複数の番組を配置したリスト表６５を含む内容になっている。この案内画面６４の提示にあたり、放送受信装置４０は、リンク表６１′の「番組Ａ」〜「番組Ｃ」を除く、「番組Ｄ」〜「番組Ｇ」の範囲の中で、数値の配置により、複数の番組が推薦番組の対象としてあることを制御ユニット５９で特定し、含まれる数値の合計が多い順に複数の番組を配置して、案内画面６４を生成して提示する。
【００６８】
図１０（ａ）のリンク表６１′では、「番組Ｄ」の数値合計が「４」であることから、「番組Ｄ」が最も多く含まれる番組になる。次に、「番組Ｅ」の数値合計が「３」であることから、「番組Ｅ」が２番目に多く含まれる番組になり、さらに「番組Ｆ」の数値合計が「２」であることから、「番組Ｆ」は３番目に多く含まれる番組になり、最後に「番組Ｇ」の数値合計が「１」であることから、「番組Ｇ」が４番目に多く含まれる番組になり、このような順位付けを制御ユニット５９が行うことになる。
【００６９】
図１０（ｂ）の案内画面６４は、上述した順位付けの結果に基づきベスト３までの番組を番組情報と共に載せたリスト表６５が配置し、このリスト表６５も制御ユニット５９により生成される。なお、リスト表６５の各番組は、リモコン装置５１の上下キー５１ａ、５１ｂで選択可能になっており、リスト表６５のいずれか１つの番組が選択された状態で決定ボタン６４ａを選択する操作がリモコン装置５１で行われると、リスト表６５で選択された番組が受信されるようになる。なお、案内画面６４は、キャンセルボタン６４ｂを有しており、このキャンセルボタン６４ｂがリモコン装置５１の操作で選択されると、案内画面６４の表示が切り替わり、ユーザからの操作指示を待つ状態に移行する。
【００７０】
よって、図９に示すように多くの放送受信装置１０、３０、７１〜７３がシステムに含まれる場合、多くのユーザの視聴履歴を照らし合わせて複数の推薦番組を放送受信装置４０のユーザへ提示できるようになる。
【００７１】
さらに、放送受信装置４０が複数のユーザにより使用される場合は、ユーザごとに番組履歴情報を不揮発性メモリ５７に記憶すると共に、ユーザごとに記憶された番組履歴情報ごとに上述した処理（図７に示すフローチャートの処理）を行うようにしてもよい。このようにすれば、放送受信装置４０を複数のユーザで使用する場合でも、他のユーザの視聴履歴に影響されることなく、自己の嗜好等に合った番組の提示を受けることができる。ユーザごとに番組提示の処理を行うには、先ず、リモコン装置５１にユーザ用のボタンを設け（例えば、第１ボタン、第２ボタン、第３ボタン）、ボタンごとにユーザ（例えば、お父さん、お母さん、おじいちゃん）を割り当てると共に、各ユーザが番組を視聴する際には、自己が割り当てられたボタンを操作するようにする。
【００７２】
図１１は、上述したユーザごとの処理を行う場合の変形例に応じた視聴履歴テーブル５７′の内容を概略的に示したものである。この場合、視聴履歴テーブル５７′は、リモコン装置５１に設けられたボタンごとに対応する第１領域５７ａ′、第２領域５７ｂ′、第３領域５７ｃ′を有し、リモコン装置５１のボタン操作に伴う番組受信に合わせて、それぞれの領域５７ａ′〜５７ｃ′に分けて番組履歴情報を記憶する。図１１の場合では、第１ボタンはユーザとして「お父さん」が割り当てられており、「お父さん」が視聴した番組の情報は、第１領域５７ａ′に記憶される。また、第２ボタンはユーザとして「お母さん」が割り当てられており、「お母さん」が視聴した番組の情報は、第２領域５７ｂ′に記憶される。さらに、第３ボタンはユーザとして「おじいちゃん」が割り当てられており、「おじいちゃん」が視聴した番組の情報は、第３領域５７ｃ′に記憶される。このようにユーザ毎に番組情報履歴を分けて記憶することにより、ユーザごとに応じた推薦番組の提示が行いやすくなる。
【００７３】
さらにまた、推薦する番組を特定する場合に他の要素を用いることも可能であり、例えば、各放送受信装置１０、３０、４０等は、テレビジョン放送の番組を受信した場合、番組を表す番組履歴情報の中に、その番組に登場する俳優、女優の名称、その番組のタイトル、サブタイトルなどの文字情報も電子番組情報等から取得して含ませるようにし、図９〜図１０に示すような場合で複数の番組を推薦番組として特定すれば、放送受信装置４０が記憶する番組履歴情報に含まれる文字情報で、各推薦番組に係る番組履歴情報を検索し、最もヒットした番組を最終的に推薦する番組に決定してユーザに提示するようにしてもよい。このようにすれば、よりユーザの嗜好または視聴目的に合致する確率の高い番組をユーザに推薦できるようになる。
【図面の簡単な説明】
【００７４】
【図１】本発明の実施形態に係る放送受信装置システムの全体的な構成を示す概略図である。
【図２】放送受信装置の主要な内部構成を示すブロック図である。
【図３】リモコン装置の概略図である。
【図４】（ａ）は一の放送受信装置に係る視聴履歴テーブルの中身を示す図表であり、（ｂ）は他の放送受信装置に係る視聴履歴テーブルの中身を示す図表である。
【図５】（ａ）は受信テーブルを示す図表であり、（ｂ）はリンク表を示す図表である。
【図６】（ａ）は推薦番組の案内画面を示す概略図、（ｂ）は推薦する番組が無い場合の画面を示す概略図である。
【図７】本発明の番組提示方法に係る処理内容を示すフローチャートである。
【図８】本発明の変形例に係る放送受信装置システムの全体的な構成を示す概略図である。
【図９】本発明の別の変形例に係る放送受信装置システムの全体的な構成を示す概略図である。
【図１０】（ａ）は変形例のリンク表を示す図表であり、（ｂ）は複数の推薦番組を含むリストを提示する案内画面の概略図である。
【図１１】変形例の受信テーブルの中身を示す概略図である。
【符号の説明】
【００７５】
１  放送受信装置システム
１０、３０、４０  放送受信装置
２１、５１  リモコン装置
２４、５４  通信インタフェース部
２７、５７  視聴履歴テーブル
２８、５８  受信テーブル
２９、５９  制御ユニット
６１  リンク表
ＮＷ  ネットワーク
【図１】
0005053785.tif 000002
【図２】
0005053785.tif 000003
【図３】
0005053785.tif 000004
【図４】
0005053785.tif 000005
【図５】
0005053785.tif 000006
【図６】
0005053785.tif 000007
【図７】
0005053785.tif 000008
【図８】
0005053785.tif 000009
【図９】
0005053785.tif 000010
【図１０】
0005053785.tif 000011
【図１１】
0005053785.tif 000012